(57)【特許請求の範囲】
【請求項１】
以下の部位を有するX線装置であって：
制御および給電用の固定コラム（1）、
固定コラムに取り付けられ、該固定コラム(1)に沿って垂直に移動（8）させると共に、固定コラム（1）に対して水平軸の周りを回転（9）する回転ベース(2)、
回転ベース（2）に接続された折り畳みボード（4）、
回転ベース(2)との取付具から一部が切り離されて自由度を有し、該回転ベース(2)に配備された２つのガイドによって、回転ベース（2）の長手方向に沿って移動が可能であるサポート・プレート（17）、
検出器（5）と、その上にX線管（6）およびコリメーター（7）のユニットが配備されたアーム(3)であって、検出器（5）とアーム(3)とは両方ともサポート・プレート（17）上に取り付けられた検出器（5）とアーム(3)、を含むX線装置であって、
アーム(3)はX線管（6）とコリメーター（7）のユニットを縦方向(12)に沿って移動させることが可能で、該X線管（6）とコリメーター（7）のユニットを折り畳みボード（4）に対して昇降させ、アーム(3)はサポート・プレート（17）に対して検出器（5）とは独立して回転することを特徴とするX線装置。
【請求項２】
回転ベース（2）へのサポート・プレート（17）の固定がサポート・プレート（17）の上端部および下端部に設置された固定および切り離し手段によって行われることを特徴とする、請求項１に記載のX線装置。
【請求項３】
折り畳みボード（4）が回転ベース（2）に近づき・遠ざかる方向に移動（13）すると共に、ボード（4）を延ばす・折り畳むための回転（14）が可能なことを特徴とする、請求項１に記載のX線装置。
【発明の詳細な説明】
【技術分野】
【０００１】
発明の目的
本件発明のX線装置の重要且つ特徴的な機能は、断層合成撮影の実施である。断層合成は、3次元による対象物の視覚化技術であり、コンピュータによる断層撮影と密接な関係を有する。
また、本件発明のX線装置には折りたたみ可能なボードと回転ベースが設置され、ボードに水平に寝かせた患者のX線撮影のみならず、垂直に立たせた患者の胸部を正面から撮影することが可能である。
【０００２】
本件発明は、本件発明を構成する各部の特別な構造と設計により、断層合成撮影が可能なことを特徴とする。
また、本件発明は、ストレッチャーから患者を移動させることなく、胸部の側面撮影が可能なことを特徴とする。
従って、本件発明はX線装置類において、回転ベース上に折りたたみ可能なパネルを持つ装置の中で最も特徴的なものである。
【背景技術】
【０００３】
発明の経緯
従来技術としては、フランス特許公開公報第2821263号のX線装置が知られている。この装置は、固定コラムに対する回転ベースと接続されたリクライニングまたは折り畳み可能なパネルが設置されているという構造的特徴を有する。
この装置により、ボードに水平に寝かせた患者のみならず垂直に立たせた患者について、複数のX線写真を撮影することが可能である。垂直位置においては、回転ベースのユニットが90度回転し、パネルが折り畳まれて検出器とX線管が向かい合い、垂直に立たせた患者の胸部X線撮影を行うことができる。
【０００４】
しかしながら、この装置には幾つかの制約条件が存在する。一つ目の大きな制約とは、X線管サポート・アームが回転ベースとは独立して回転しないため、断層合成X線撮影が出来ないということである。これは、X線アームの回転により回転ベースが完全に回転することとなり、従って検出器と折り畳み可能なボードも回転するからである。
また、この装置ではストレッチャー上の患者についてX線撮影を行うことができない。現在の技術として言及しているこのフランスの特許公報の図５に示されるとおり、回転ベースが回転しパネルが折り畳まれた後には、検出器がX線管と向かい合い、両者の間に空間が発生する。その空間の半分は、上にパネルがリクライニングした固定コラムに占められ、ストレッチャーを入れることができない。
【０００５】
従って、本件発明の目的は、上記の不都合を克服したX線装置を開発し、断層合成撮影も可能なX線装置を製作することである。また、X線検査室まで移動して来たストレッチャーから患者を移動させることなく、胸部側面撮影も可能な装置とすることである。
【発明の概要】
【０００６】
発明の記載
本件発明は断層合成撮影を行うことのできるX線装置であり、回転ベースを設置した制御および給電用の固定コラムを有する。回転ベースは、同時に折り畳み可能なボードおよびX線およびコリメータ・アームのサポート・プレートならびに検出器と接続されている。
サポート・プレートは回転ベースに固定することができ、回転ベースの回転によりユニット全体、即ち折り畳みボードおよびX線ユニットおよびコリメータ・アームならびに検出器を回転させる。
【０００７】
サポート・プレートが回転ベースに接続されていなければ、アームおよび検出器のユニットを回転ベースに沿って長手方向に移動させて最適位置に置くことが可能となる。
X線およびコリメーターのユニット・アームは検出器と独立して回転させることができ、もって断層合成撮影が可能となる。X線およびコリメーターのユニット・アームは検出器の表面と合致し、これが断層合成撮影の必要条件を構成する。
【０００８】
一方、回転ベースの回転と他の部位、即ちX線およびコリメーターのユニット・アーム、折り畳みボードおよび検出器の動作を関係づけることで、これらの全てを垂直に配置し、患者をストレッチャーに寝かせることなく垂直位にて胸部、頭蓋、脊椎などのX線撮影を行うことができる。
また、回転ベースを設置した制御および給電用の固定コラムに対する回転ベースの回転軸の配置により、回転ベースおよび関係部位の全て（X線およびコリメーターのユニット・アーム、折り畳みボードおよび検出器）が回転した時に、検出器とX線管の間にスペースが生まれ、制御および給電用の固定コラムに邪魔されることなくストレッチャーを移動させることが可能になる。
【０００９】
これにより、患者をストレッチャーに乗せたまま胸部のX線撮影が可能になる。これは、患者の状態によってストレッチャーからの移動または移し替えが困難な場合に極めて有利であり、患者を煩わせることなく側面X線撮影を実施することができる。
【図面の簡単な説明】
【００１０】
後で行う詳細説明の補足ならびに本件発明の特徴をより理解できるよう、本件発明の重要部分の詳細について例示に限定することなく一連の図面を添付する。
【図１】本件発明のX線装置の斜視図であり、全ての部位とそれらの関係を示す。
【図２】X線装置を正面から見た図である。
【図３】X線装置の投影図であり、X線およびコリメーターのユニット・アームが回転ベースとは独立して回転することを示す。
【図４】図３を正面から見た図である。
【図５】ベース・ユニットと他の関係部位が、制御および給電用の固定コラムに対して90度回転した様子を示す斜視図である。
【発明を実施するための形態】
【００１１】
図面を参照しながら、本件発明の実施例について説明する。
本件発明のX線機器は、図1に示すとおり、制御および給電用の固定コラム（1）およびこれに接続された回転ベース（2）を有す。
回転ベース（2）には折り畳みボード（4）が固定され、回転ベース（2）の回転により折り畳みボード（4）が回転する。
回転ベース（2）にはサポート・プレート（17）が設置され、これにＵ字形のアーム（3）が取り付けられ、その先端部にX線管（6）およびコリメーター（7）ユニットおよび検出器（5）が設置されている。
【００１２】
サポート・プレート（17）は回転ベース（2）上に固定されて、回転ベース（2）の回転により折り畳みボード（4）とサポート・プレート（17）ならびにX線管（6）およびコリメーターのユニットと検出器（5）アーム（3）全体が回転する。
また、サポート・プレート（17）は一定の自由度をもって、回転ベース（2）との接続を部分的に切り離して回転プレート（2）に沿って長手方向に移動させて最適位置に置くことが可能である。
回転ベース（2）は、固定コラム（1）に沿って垂直方向（8）に縦移動することができ、ユニット全体を上昇・下降させることができる。
【００１３】
また、回転ベース（2）は固定コラム（1）に対して水平軸方向に回転（9）し、図5に示すとおり回転ベース（2）と関係部位のユニット全体を回転させることができる。
一方、サポート・プレート（17）と回転ベース（2）の固定を切り離せば、サポート・プレートとこれに関係する部位、即ちアーム（3）および検出器（5）を回転ベース（2）に沿って長手方向（10）に移動させることができる。
サポート・プレート（17）上にはX線およびコリメーターのユニット・アーム（3）が取り付けられ、サポート・プレート（17）に対して検出器（5）とは独立して回転（11）させることができる。アーム（3）のこの回転（11）により、断層合成撮影が可能となる。
【００１４】
またアーム（3）は、X線およびコリメーターのユニットを垂直方向に移動（12）に移動させることができる。
最終的に、折り畳みボード（4）は、回転ベース（2）に近づき・遠ざかる方向に移動（13）すると共に、両端のジョイントにより回転（14）させることができる。これにより、折り畳みボード（4）を回転ベース（2）と並行となるようにすることができる。
サポート・プレート（17）が回転ベース（2）への固定をどのように切り離し、長手方向に移動して回転ベース(2)のホール（15）がどのように見えるかを図３に示す。この時にサポート・プレート（17）は、回転ベース（2）に沿って任意に長手方向に移動（10）できる。アーム（3）は検出器（5）に対して独立して回転することができるため、断層合成撮影が可能となる。
【００１５】
サポート・プレート（17）の回転ベース（2）への取り付け／切り離しは、サポート・プレート（17）の上端部および下端部に設置された固定および切り離し手段によって行われる。
図4にサポート・プレート（17）を固定コラム（1）に接続するホール（15）の正面図を示す。これが回転ベース（2）の回転軸となる。ホール（15）は固定コラム（1）の一方の端の近くに設置される。
【００１６】
ホール（15）および回転軸が固定コラム（1）を一方の端に近接させるのは、回転ベース（2）と関係部位全体が回転する際に固定コラム（1）の片方に位置させるためである。これにより、図５に示すとおりX線（6）およびコリメーター（7）と折り畳みボード（4）の間に距離（16）が確保される。この距離（16）は十分の長さとフリーな空間であり、患者が乗ってきたストレッチャーから移動させることなく、そのままストレッチャーを入れて患者の側面X線撮影を実施することが可能である。
本件発明の本質を損なわなければ、例示的に示した各部位の材料、形状、寸法、配置を変更して専門家が本装置を再現させることが可能である。
【図１】
0005501385.tif 000002
【図２】
0005501385.tif 000003
【図３】
0005501385.tif 000004
【図４】
0005501385.tif 000005
【図５】
0005501385.tif 000006